(57)【特許請求の範囲】
【請求項１】
第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーとを備えたスピーカシステムであって、
前記第１のスピーカと前記第２のスピーカとの向かい合う面が同じ位相の音を出力するように前記第１のスピーカと前記第２のスピーカとが配置され、
前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、
前記第１のスピーカの前記第２のスピーカとは向かい合わない面から出力される音と、前記第２のスピーカの前記第１のスピーカとは向かい合わない面から出力される音とが、前記第１の音道を通る音とは混ざり合わないように、前記第１のスピーカおよび前記第２のスピーカのそれぞれにバッフル板が取り付けられ、
前記第１のスピーカと前記第２のスピーカの各々は、
フレームと、
振動板と、
前記振動板の上に配置された圧電素子と、
前記フレームと前記振動板とに接続され、前記振動板がリニアに振幅するように前記振動板を支持するダンパと、
前記振動板と前記フレームとの間の空隙を埋めるように形成されたエッジとを備え、前記ダンパが電極を兼ねる、スピーカシステム。
【請求項２】
前記第１の音道を通る音の伝達方向と、前記第１のスピーカおよび前記第２のスピーカの振動の振幅方向とが垂直となるように、前記第１の音道が形成されている、請求項１に記載のピーカシステム。
【請求項３】
前記バッフル板の少なくとも一つが、前記第１の音道を通った音が、前記第１のスピーカおよび前記第２のスピーカの振動の振幅方向に平行な方向に向かうように形成されている、請求項１に記載のスピーカシステム。
【請求項４】
前記バッフル板の少なくとも一つが、前記第１の音道を通った音が、前記第１のスピーカおよび前記第２のスピーカの振動の振幅方向と垂直な方向に向かうように形成されている、請求項１に記載のスピーカシステム。
【請求項５】
第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーと、第３のスピーカと、前記第２のスピーカと前記第３のスピーカとが向かい合うように前記第２のスピーカと前記第３のスピーカとを隔てる第２のスペーサーとを備えたスピーカシステムであって、
前記第１のスピーカと前記第２のスピーカとの向かい合う面が同じ位相の音を出力するように前記第１のスピーカと前記第２のスピーカとが配置され、
前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、
前記第２のスピーカと前記第３のスピーカとの向かい合う面が、同じ位相の音を出力するように前記第２のスピーカと前記第３のスピーカとが配置され、
前記第２のスピーカと前記第３のスピーカと前記第２のスペーサーとによって、前記第２のスピーカと前記第３のスピーカとの向かい合う面から出力される音が通る第２の音道が形成されており、
前記第１のスピーカと前記第２のスピーカと前記第３のスピーカの各々は、
フレームと、
振動板と、
前記振動板の上に配置された圧電素子と、
前記フレームと前記振動板とに接続され、前記振動板がリニアに振幅するように前記振動板を支持するダンパと、
前記振動板と前記フレームとの間の空隙を埋めるように形成されたエッジとを備え、前記ダンパが電極を兼ねる、スピーカシステム。
【請求項６】
前記第２の音道を通る音の伝達方向と、前記第２のスピーカおよび前記第３のスピーカの振動の振幅方向とが垂直となるように、前記第２の音道が形成されている、請求項５に記載のスピーカシステム。
【請求項７】
少なくとも１つのバッフル板をさらに備え、
前記第２の音道を通った音が、前記第２のスピーカおよび前記第３のスピーカの振動の振幅方向と平行な方向に向かうように、前記少なくとも１つのバッフル板が形成されている、請求項５に記載のスピーカシステム。
【請求項８】
少なくとも１つのバッフル板をさらに備え、
前記第２の音道を通った音が、前記第２のスピーカおよび前記第３のスピーカの振動の振幅方向と垂直な方向に向かうように、前記少なくとも１つのバッフル板が形成されている、請求項５に記載のスピーカシステム。
【請求項９】
前記第１の音道を通る音の伝達方向と前記第２の音道を通る音の伝達方向とが逆になるように、前記第１の音道と前記第２の音道とが形成されている、請求項５に記載のスピーカシステム。
【請求項１０】
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅する、請求項１に記載のスピーカシステム。
【請求項１１】
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅する、請求項１に記載のスピーカシステム。
【請求項１２】
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相である、請求項１１に記載のスピーカシステム。
【請求項１３】
前記第１のスピーカに入力される電気信号の位相は、前記第２のスピーカに入力される電気信号の位相と逆位相である、請求項１１に記載のスピーカシステム。
【請求項１４】
第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーと、第３のスピーカと、前記第２のスピーカと前記第３のスピーカとが向かい合うように前記第２のスピーカと前記第３のスピーカとを隔てる、開口側部を有する実質的にＵ字形状の第２のスペーサーとを備え、前記第１のスペーサー開口側部は、前記第２のスペーサー開口側部と向かい合ってかつ隔たれて配置されるスピーカシステムであって、
前記第１のスピーカと前記第２のスピーカとの向かい合う面が同じ位相の音を出力するように前記第１のスピーカと前記第２のスピーカとが配置され、
前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、
前記第２のスピーカと前記第３のスピーカとの向かい合う面が、同じ位相の音を出力するように前記第２のスピーカと前記第３のスピーカとが配置され、
前記第２のスピーカと前記第３のスピーカと前記第２のスペーサーとによって、前記第２のスピーカと前記第３のスピーカとの向かい合う面から出力される音が通る第２の音道が形成されているスピーカシステム。
【請求項１５】
前記第２の音道を通る音の伝達方向と、前記第２のスピーカおよび前記第３のスピーカの振動の振幅方向とが垂直となるように、前記第２の音道が形成されている、請求項１４に記載のスピーカシステム。
【請求項１６】
少なくとも１つのバッフル板をさらに備え、
前記第２の音道を通った音が、前記第２のスピーカおよび前記第３のスピーカの振動の振幅方向と平行な方向に向かうように、前記少なくとも１つのバッフル板が形成されている、請求項１４に記載のスピーカシステム。
【請求項１７】
少なくとも１つのバッフル板をさらに備え、
前記第２の音道を通った音が、前記第２のスピーカおよび前記第３のスピーカの振動の振幅方向と垂直な方向に向かうように、前記少なくとも１つのバッフル板が形成されている、請求項１４に記載のスピーカシステム。
【請求項１８】
前記第１の音道を通る音の伝達方向と前記第２の音道を通る音の伝達方向とが逆になるように、前記第１の音道と前記第２の音道とが形成されている、請求項１４に記載のスピーカシステム。
【請求項１９】
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅する、請求項１４に記載のスピーカシステム。
【請求項２０】
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅する、請求項１４に記載のスピーカシステム。
【請求項２１】
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相である、請求項２０に記載のスピーカシステム。
【請求項２２】
前記第１のスピーカに入力される電気信号の位相は、前記第２のスピーカに入力される電気信号の位相と逆位相である、請求項２０に記載のスピーカシステム。
【請求項２３】
前記第１のスピーカおよび前記第２のスピーカの各々は、
フレームと、
振動板と、
前記振動板の上に配置された圧電素子と、
前記フレームと前記振動板とに接続され、前記振動板がリニアに振幅するように前記振動板を支持するダンパと、
前記振動板と前記ダンパと前記フレームとの間の空隙を埋めるように形成されたエッジとを備え、
前記ダンパが電極を兼ねる、請求項１４に記載のスピーカシステム。
【請求項２４】
前記第１のスピーカと前記第２のスピーカの各々は、動電形スピーカである、請求項１４に記載のスピーカシステム。
【請求項２５】
第１のスピーカと、
第２のスピーカと、
前記第１のスピーカと前記第２のスピーカとが向かい合うように前記第１のスピーカと前記第２のスピーカとを隔てる、開口側部を有する実質的にＵ字形状の第１のスペーサーと、
第３のスピーカと、
前記第２のスピーカと前記第３のスピーカとが向かい合うように前記第２のスピーカと前記第３のスピーカとを隔てる第２のスペーサーとを備え、前記第１のスピーカと前記第２のスピーカとは、第１の音道に伝達方向を提供し、前記第２のスピーカと前記第３のスピーカとは、第２の音道に前記第１の音道から１８０度の角度に配置される伝達方向を提供する、スピーカシステムであって、
前記第１のスピーカと前記第２のスピーカとの向かい合う面が同じ位相の音を出力するように前記第１のスピーカと前記第２のスピーカとが配置される、スピーカシステム。
【請求項２６】
前記第１の音道を通る音の伝達方向と、前記第１のスピーカおよび前記第２のスピーカの振動の振幅方向とが垂直となるように、前記第１の音道が形成されている、請求項２５に記載のピーカシステム。
【請求項２７】
少なくとも１つのバッフル板をさらに備え、
前記第１の音道を通った音が、前記第１のスピーカおよび前記第２のスピーカの振動の振幅方向に平行な方向に向かうように、前記少なくとも１つのバッフル板が形成されている、請求項２５に記載のスピーカシステム。
【請求項２８】
少なくとも１つのバッフル板をさらに備え、
前記第１の音道を通った音が、前記第１のスピーカおよび前記第２のスピーカの振動の振幅方向と垂直な方向に向かうように、前記少なくとも１つのバッフル板が形成されている、請求項２５に記載のスピーカシステム。
【請求項２９】
前記第２のスピーカと前記第３のスピーカとの向かい合う面が、同じ位相の音を出力するように前記第２のスピーカと前記第３のスピーカとが配置されている、請求項２５に記載のスピーカシステム。
【請求項３０】
前記第２の音道を通る音の伝達方向と、前記第２のスピーカおよび前記第３のスピーカの振動の振幅方向とが垂直となるように、前記第２の音道が形成されている、請求項２９に記載のスピーカシステム。
【請求項３１】
少なくとも１つのバッフル板をさらに備え、
前記第２の音道を通った音が、前記第２のスピーカおよび前記第３のスピーカの振動の振幅方向と平行な方向に向かうように、前記少なくとも１つのバッフル板が形成されている、請求項２９に記載のスピーカシステム。
【請求項３２】
少なくとも１つのバッフル板をさらに備え、
前記第２の音道を通った音が、前記第２のスピーカおよび前記第３のスピーカの振動の振幅方向と垂直な方向に向かうように、前記少なくとも１つのバッフル板が形成されている、請求項２９に記載のスピーカシステム。
【請求項３３】
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅する、請求項２５に記載のスピーカシステム。
【請求項３４】
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅する、請求項２５に記載のスピーカシステム。
【請求項３５】
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相である、請求項３４に記載のスピーカシステム。
【請求項３６】
前記第１のスピーカに入力される電気信号の位相は、前記第２のスピーカに入力される電気信号の位相と逆位相である、請求項３４に記載のスピーカシステム。
【請求項３７】
前記第１のスピーカおよび前記第２のスピーカの各々は、
フレームと、
振動板と、
前記振動板の上に配置された圧電素子と、
前記フレームと前記振動板とに接続され、前記振動板がリニアに振幅するように前記振動板を支持するダンパと、
前記振動板と前記ダンパと前記フレームとの間の空隙を埋めるように形成されたエッジとを備え、
前記ダンパが電極を兼ねる、請求項３４に記載のスピーカシステム。
【請求項３８】
前記第１のスピーカと前記第２のスピーカの各々は、動電形スピーカである、請求項３４に記載のスピーカシステム。
【発明の詳細な説明】
【０００１】
【発明の属する技術分野】
本発明は、音響機器などに用いられるスピーカシステムに関する。
【０００２】
【従来の技術】
スピーカは、振動板を振幅させることで、周囲の空気の圧力（音圧）を変化させて、音を出力する。
【０００３】
１つのスピーカでは音圧が不足する場合、複数のスピーカの出力音を合成することで所望の音圧を得ることができる。
【０００４】
図１２は、４枚のスピーカを配置した従来のスピーカシステム１２００の上面図を示す。スピーカシステム１２００では、第１のスピーカ１２０１と、第２のスピーカ１２０２と、第３のスピーカ１２０３と、第４のスピーカ１２０４とが平面であるバッフル板１２１０に配置されている。
【０００５】
図１３は、スピーカの数と音圧増加分との相関グラフである。音圧増加分とは、任意の数のスピーカから出力される合成音圧と、スピーカ単体での出力音圧との差分をｄＢ単位で表したものである。図１３に示すグラフは、以下の理論式より与えられる。ここで、Ｌは７０ｄＢと仮定している。
【０００６】
【数１】
0003788600.tif 000002
表１は、理論式によって与えられる具体的な数値を示す。
【０００７】
【表１】
0003788600.tif 000003
図１３および表１に示されるように、スピーカの数が増加するにつれて、音圧は増加する。
【０００８】
【発明が解決しようとする課題】
しかし、このように複数のスピーカを平面に配置した従来のスピーカシステム１２００を車室、部屋の壁面または卓上など表面積が限られた空間に配置しようとすると、配置することが可能なスピーカの数が制限されてしまい、その結果、音圧を大きくできなくなるという欠点があった。
【０００９】
本発明は、上記問題点に鑑みてなされたものであり、複数のスピーカを使用して音圧を高くしつつ、スピーカを単体で用いた場合の表面積と同一の表面積を維持することが可能なスピーカシステムを提供することを目的とする。
【００１０】
【課題を解決するための手段】
本発明のスピーカシステムは、第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーとを備えたスピーカシステムであって、前記第１のスピーカと前記第２のスピーカとの向かい合う面が同じ位相の音を出力するように前記第１のスピーカと前記第２のスピーカとが配置され、前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、前記第１のスピーカの前記第２のスピーカとは向かい合わない面から出力される音と、前記第２のスピーカの前記第１のスピーカとは向かい合わない面から出力される音とが、前記第１の音道を通る音とは混ざり合わないように、前記第１のスピーカと前記第２のスピーカのそれぞれにバッフル板が取り付けられ、前記第１のスピーカと前記第２のスピーカの各々は、フレームと、振動板と、前記振動板の上に配置された圧電素子と、前記フレームと前記振動板とに接続され、前記振動板がリニアに振幅するように前記振動板を支持するダンパと、前記振動板と前記フレームとの間の空隙を埋めるように形成されたエッジとを備え、前記ダンパが電極を兼ねている。
【００１１】
前記第１の音道を通る音の伝達方向と、前記第１のスピーカおよび前記第２のスピーカの振動の振幅方向とが垂直となるように、前記第１の音道が形成されていてもよい。
【００１２】
前記バッフル板の少なくとも一つが、前記第１の音道を通った音が、前記第１のスピーカおよび前記第２のスピーカの振動の振幅方向に平行な方向に向かうように形成されていてもよい。
【００１３】
前記バッフル板の少なくとも一つが、前記第１の音道を通った音が、前記第１のスピーカおよび前記第２のスピーカの振動の振幅方向と垂直な方向に向かうように形成されていてもよい。
【００１４】
また、本発明のスピーカシステムは、第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーと、第３のスピーカと、前記第２のスピーカと前記第３のスピーカとが向かい合うように前記第２のスピーカと前記第３のスピーカとを隔てる第２のスペーサーとを備えたスピーカシステムであって、前記第１のスピーカと前記第２のスピーカとの向かい合う面が同じ位相の音を出力するように前記第１のスピーカと前記第２のスピーカとが配置され、前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、前記第２のスピーカと前記第３のスピーカとの向かい合う面が、同じ位相の音を出力するように前記第２のスピーカと前記第３のスピーカとが配置され、前記第２のスピーカと前記第３のスピーカと前記第２のスペーサーとによって、前記第２のスピーカと前記第３のスピーカとの向かい合う面から出力される音が通る第２の音道が形成されており、前記第１のスピーカと前記第２のスピーカと前記第３のスピーカの各々は、フレームと、振動板と、前記振動板の上に配置された圧電素子と、前記フレームと前記振動板とに接続され、前記振動板がリニアに振幅するように前記振動板を支持するダンパと、前記振動板と前記フレームとの間の空隙を埋めるように形成されたエッジとを備え、前記ダンパが電極を兼ねている。
【００１５】
前記第２の音道を通る音の伝達方向と、前記第２のスピーカおよび前記第３のスピーカの振動の振幅方向とが垂直となるように、前記第２の音道が形成されていてもよい。
【００１６】
少なくとも１つのバッフル板をさらに備え、前記第２の音道を通った音が、前記第２のスピーカおよび前記第３のスピーカの振動の振幅方向と平行な方向に向かうように、前記少なくとも１つのバッフル板が形成されていてもよい。
【００１７】
少なくとも１つのバッフル板をさらに備え、前記第２の音道を通った音が、前記第２のスピーカおよび前記第３のスピーカの振動の振幅方向と垂直な方向に向かうように、前記少なくとも１つのバッフル板が形成されていてもよい。
【００１８】
前記第１の音道を通る音の伝達方向と前記第２の音道を通る音の伝達方向とが逆になるように、前記第１の音道と前記第２の音道とが形成されていてもよい。
【００１９】
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅してもよい。
【００２０】
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅してもよい。
【００２１】
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相であってもよい。
【００２２】
前記第１のスピーカに入力される電気信号の位相は、前記第２のスピーカに入力される電気信号の位相と逆位相であってもよい。
【００２３】
本発明のスピーカシステムは、第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーと、第３のスピーカと、前記第２のスピーカと前記第３のスピーカとが向かい合うように前記第２のスピーカと前記第３のスピーカとを隔てる、開口側部を有する実質的にＵ字形状の第２のスペーサーとを備え、前記第１のスペーサー開口側部は、前記第２のスペーサー開口側部と向かい合ってかつ隔たれて配置される、スピーカシステムであって、前記第１のスピーカと前記第２のスピーカとの向かい合う面が同じ位相の音を出力するように前記第１のスピーカと前記第２のスピーカとが配置され、前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、前記第２のスピーカと前記第３のスピーカとの向かい合う面が、同じ位相の音を出力するように前記第２のスピーカと前記第３のスピーカとが配置され、前記第２のスピーカと前記第３のスピーカと前記第２のスペーサーとによって、前記第２のスピーカと前記第３のスピーカとの向かい合う面から出力される音が通る第２の音道が形成されている。
前記第２の音道を通る音の伝達方向と、前記第２のスピーカおよび前記第３のスピーカの振動の振幅方向とが垂直となるように、前記第２の音道が形成されてもよい。
少なくとも１つのバッフル板をさらに備え、前記第２の音道を通った音が、前記第２のスピーカおよび前記第３のスピーカの振動の振幅方向と平行な方向に向かうように、前記少なくとも１つのバッフル板が形成されてもよい。
少なくとも１つのバッフル板をさらに備え、前記第２の音道を通った音が、前記第２のスピーカおよび前記第３のスピーカの振動の振幅方向と垂直な方向に向かうように、前記少なくとも１つのバッフル板が形成されてもよい。
前記第１の音道を通る音の伝達方向と前記第２の音道を通る音の伝達方向とが逆になるように、前記第１の音道と前記第２の音道とが形成されてもよい。
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅してもよい。
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅してもよい。
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相でよい。
前記第１のスピーカに入力される電気信号の位相は、前記第２のスピーカに入力される電気信号の位相と逆位相でよい。
前記第１のスピーカおよび前記第２のスピーカの各々は、フレームと、振動板と、前記振動板の上に配置された圧電素子と、前記フレームと前記振動板とに接続され、前記振動板がリニアに振幅するように前記振動板を支持するダンパと、前記振動板と前記ダンパと前記フレームとの間の空隙を埋めるように形成されたエッジとを備え、前記ダンパが電極を兼ねてもよい。
前記第１のスピーカと前記第２のスピーカの各々は、動電形スピーカでよい。
本発明のスピーカシステムは、第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーと、第３のスピーカと、前記第２のスピーカと前記第３のスピーカとが向かい合うように前記第２のスピーカと前記第３のスピーカとを隔てる第２のスペーサーとを備え、前記第１のスピーカと前記第２のスピーカとは、第１の音道に伝達方向を提供し、前記第２のスピーカと前記第３のスピーカとは、第２の音道に前記第１の音道から１８０度の角度に配置される伝達方向を提供する、スピーカシステムであって、前記第１のスピーカと前記第２のスピーカとの向かい合う面が同じ位相の音を出力するように前記第１のスピーカと前記第２のスピーカとが配置されてもよい。
前記第１の音道を通る音の伝達方向と、前記第１のスピーカおよび前記第２のスピーカの振動の振幅方向とが垂直となるように、前記第１の音道が形成されてもよい。
少なくとも１つのバッフル板をさらに備え、前記第１の音道を通った音が、前記第１のスピーカおよび前記第２のスピーカの振動の振幅方向に平行な方向に向かうように、前記少なくとも１つのバッフル板が形成されてもよい。
少なくとも１つのバッフル板をさらに備え、前記第１の音道を通った音が、前記第１のスピーカおよび前記第２のスピーカの振動の振幅方向と垂直な方向に向かうように、前記少なくとも１つのバッフル板が形成されてもよい。
前記第２のスピーカと前記第３のスピーカとの向かい合う面が、同じ位相の音を出力するように前記第２のスピーカと前記第３のスピーカとが配置されてもよい。
前記第２の音道を通る音の伝達方向と、前記第２のスピーカおよび前記第３のスピーカの振動の振幅方向とが垂直となるように、前記第２の音道が形成されてもよい。
少なくとも１つのバッフル板をさらに備え、前記第２の音道を通った音が、前記第２のスピーカおよび前記第３のスピーカの振動の振幅方向と平行な方向に向かうように、前記少なくとも１つのバッフル板が形成されてもよい。
少なくとも１つのバッフル板をさらに備え、前記第２の音道を通った音が、前記第２のスピーカおよび前記第３のスピーカの振動の振幅方向と垂直な方向に向かうように、前記少なくとも１つのバッフル板が形成されてもよい。
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅してもよい。
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅してもよい。
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相でよい。
前記第１のスピーカに入力される電気信号の位相は、前記第２のスピーカに入力される電気信号の位相と逆位相でよい。
前記第１のスピーカおよび前記第２のスピーカの各々は、フレームと、振動板と、前記振動板の上に配置された圧電素子と、前記フレームと前記振動板とに接続され、前記振動板がリニアに振幅するように前記振動板を支持するダンパと、前記振動板と前記ダンパと前記フレームとの間の空隙を埋めるように形成されたエッジとを備え、前記ダンパが電極を兼ねてもよい。
前記第１のスピーカと前記第２のスピーカの各々は、動電形スピーカでよい。
【００２４】
前記スピーカは、動電形スピーカであってもよい。
【００２５】
【発明の実施の形態】
以下、図面を参照しながら本発明の実施の形態を説明する。
【００２６】
１．スピーカシステムの構造
以下に、本発明によるスピーカシステムの構造を説明する。
【００２７】
以下の説明において、特に言及しないかぎり、スピーカシステムの構成要素であるスピーカの具体例として、圧電スピーカを用いる。しかし、本発明のスピーカは圧電スピーカに限定されない。スピーカは、動電形スピーカ、静電形スピーカ、電磁形スピーカなどのように振動板を有し、振動板の両側で位相が逆の音を生成するスピーカであれば同じように配置することができ、同じ効果を得ることができる。
【００２８】
図１は、本発明のスピーカシステム１００の構成要素を説明するための図である。
【００２９】
本発明のスピーカシステム１００は、第１のスピーカ１０１と、第２のスピーカ１０３と、第３のスピーカ１０５と、第１のスピーカ１０１と第２のスピーカ１０３との間にある第１のスペーサー１０２と、第２のスピーカ１０３と第３のスピーカ１０５との間にある第２のスペーサー１０４とを有する。
【００３０】
第１のスピーカ１０１と、第２のスピーカ１０３と、第３のスピーカ１０５とは、例えば、物理的に同じ構造の圧電スピーカである。
【００３１】
第１のスピーカ１０１と第２のスピーカ１０３との向かい合う面が同じ位相の音を出力するように第１のスピーカ１０１と第２のスピーカ１０３とが配置される。同様に、第２のスピーカ１０３と第３のスピーカ１０５との向かい合う面が同じ位相の音を出力するように第２のスピーカ１０３と第３のスピーカ１０５とが配置される。
【００３２】
このように、第１のスピーカ１０１と第２のスピーカ１０３と第３のスピーカ１０５とを配置することにより、第１のスピーカ１０１と向かいあう第２のスピーカ１０３の面から出力される音の位相は、第２のスピーカ１０３と向かいあわない第１のスピーカ１０１の面から出力される音の位相と逆位相であり、第２のスピーカ１０３と向かいあう第３のスピーカ１０５の面から出力される音の位相は、第３のスピーカ１０５と向かいあわない第２のスピーカ１０３の面から出力される音の位相と、逆位相である。
【００３３】
第１のスペーサー１０２は、環状の一部が欠けた「コ」または「Ｕ」字の形状を有し、スピーカシステム１００の完成時に第１のスピーカ１０１と第２のスピーカ１０３とが向かい合うように第１のスピーカ１０１と第２のスピーカ１０３とを隔てる。同様に、第２のスペーサー１０４は、環状の一部が欠けた「コ」または「Ｕ」字の形状を有し、スピーカシステム１００の完成時に第２のスピーカ１０３と第３のスピーカ１０５とが向かい合うように第２のスピーカ１０３と第３のスピーカ１０５とを隔てる。
【００３４】
図１においては、第１のスペーサー１０２の環状の欠けた部分と第２のスペーサー１０４の環状の欠けた部分とが反対側となるように、第１のスペーサー１０２および第２のスペーサー１０４が配置されている。
【００３５】
図２は、本発明のスピーカシステム１００を作成する途中の図である。
【００３６】
図２では、図１で示した第１のスペーサー１０２および第２のスペーサー１０４が、第２のスピーカ１０３に取りつけられている。
【００３７】
図３は、本発明のスピーカシステム１００を作成する途中の図である。
【００３８】
図３では、図２に示した第２のスピーカ１０３を取りつけた第１のスペーサー１０２に第１のスピーカ１０１が取りつけられており、第２のスピーカ１０３を取りつけた第２のスペーサー１０４に第３のスピーカ１０５が取りつけられている。このようにして、スピーカ構造体１５０が形成される。このスピーカ構造体１５０に、少なくとも１つのバッフル板（図３には示さない、図４参照）を取りつけることにより、スピーカシステム１００が完成する。
【００３９】
図４は、本発明のスピーカシステム１００の断面図を示す。図４に示される例では、第１のスピーカ１０１に第１のバッフル板１２１が取りつけられ、第３のスピーカ１０５に第２のバッフル板１２２が取りつけられている。
【００４０】
第１のスピーカ１０１と、第２のスピーカ１０３と、第３のスピーカ１０５とは、振幅することにより音を発生する。図４において「振幅方向」と表示される矢印は、第１のスピーカ１０１、第２のスピーカ１０３および第３のスピーカ１０５の振幅方向を示す。第１のスピーカ１０１と、第２のスピーカ１０３と、第３のスピーカ１０５とはその振幅方向に沿って配置されている。
【００４１】
第１のスピーカ１０１と第２のスピーカ１０３と第１のスペーサー１０２とによって、第１のスピーカ１０１と第２のスピーカ１０３との向かい合う面から出力される音が通る第１の音道１１１が形成されている。
【００４２】
第２のスピーカ１０３と第３のスピーカ１０５と第２のスペーサー１０４とによって、第２のスピーカ１０３と第３のスピーカ１０５との向かい合う面から出力される音が通る第２の音道１１２が形成されている。
【００４３】
第１の音道１１１を通る音の伝達方向と、第１のスピーカ１０１および第２のスピーカ１０３の振幅方向とが垂直となるように、第１の音道１１１が形成されている。
【００４４】
第２の音道１１２を通る音の伝達方向と、第２のスピーカ１０３および第３のスピーカ１０５の振幅方向とが垂直となるように、第２の音道１１２が形成されている。
【００４５】
第１の音道を通る音の伝達方向と第２の音道を通る音の伝達方向とが逆（１８０度反対）になるように、第１の音道１１１と第２の音道１１２とが形成されることが好ましい。このように、第１の音道１１１を通る音の伝達方向が第２の音道１１２を通る音の伝達方向と逆であると、伝達方向が同じ方向または９０度ずれている場合よりも、スピーカシステム１００の設置が容易になる。
【００４６】
なお、第１のスピーカ１０１と第２のスピーカ１０３との向かい合う面から出力される音は、第１のスピーカ１０１と第２のスピーカ１０３と第１のスペーサー１０２とによって規定される空間である第１の音道１１１を通って、第１のスペーサー１０２の環状の欠けた部分から、スピーカシステム１００の外部に伝達される。
【００４７】
第２のスピーカ１０３と第３のスピーカ１０５との向かい合う面から出力される音は、第２のスピーカ１０３と第３のスピーカ１０５と第２のスペーサー１０４とによって規定される空間である第２の音道１１２を通って、第２のスペーサー１０４の環状の欠けた部分から、スピーカシステム１００の外部に伝達される。
【００４８】
スピーカシステム１００において、２つの音道（第１の音道１１１および第２の音道１１２）が形成されるが、その２つの音道から互いに逆位相の音が伝達される。なぜなら、第２のスピーカ１０３が逆位相の音を対向する２つの面（すなわち、図４において左側の面および右側の面）から同時に出力し、かつ、第１のスピーカ１０１と第２のスピーカ１０３とが、第１のスピーカ１０１と第２のスピーカ１０３との向かい合う面が同じ位相の音を出力するように配置されており、また、第２のスピーカ１０３と第３のスピーカ１０５とが、第２のスピーカ１０３と第３のスピーカ１０５との向かい合う面が同じ位相の音を出力するように配置されているからである。
【００４９】
本明細書では、便宜上、各スピーカが有する２つの面のうち、紙面に対して左側の面を「左面」といい、紙面に対して右側の面を「右面」というものとする。
【００５０】
第１のスピーカ１０１の左面から出力される音は、第１のスピーカ１０１の振幅方向に平行な方向に伝達される。第２のスピーカ１０３の右面から出力される音と第３のスピーカの左面から出力される音とは、第２の音道１１２を通って伝達される。第２の音道１１２を通って伝達される音は、第２のバッフル板１２２により、第２のスピーカ１０３および第３のスピーカ１０５の振幅方向と平行な方向（すなわち、第１のスピーカ１０１の左面から出力される音の伝達方向と同一の方向）に向けられる。また、第１のスピーカ１０１の左面から出力される音の位相と第２の音道１１２を通って伝達される音の位相は同一である。
【００５１】
したがって、第１のスピーカ１０１の左面から出力される音と、第２の音道１１２を通って伝達される音とを合成することにより、音圧が上がる。図４において、これらの音の流れを実線１３１として示す。
【００５２】
第３のスピーカ１０５の右面から出力される音は、第３のスピーカ１０５の振幅方向に平行な方向に伝達される。第１のスピーカ１０１の右面から出力される音と、第２のスピーカ１０３の左面から出力される音とは、第１の音道１１１を通って伝達される。第１の音道１１１を通って伝達される音は、第１のバッフル板１２１により、第１のスピーカ１０１および第２のスピーカ１０３の振幅方向と平行な方向（すなわち、第３のスピーカ１０５の右面から出力される音の伝達方向と同一の方向）に向けられる。また、第３のスピーカ１０５の右面から出力される音の位相と、第１の音道１１１を通って伝達される音の位相は同一である。
【００５３】
したがって、第３のスピーカ１０５の右面から出力される音と、第１の音道１１１を通って伝達される音とを合成することにより、音圧が上がる。図４において、これらの音の流れを破線１３２として示す。
【００５４】
第１のバッフル板１２１および第２のバッフル板１２２は、実線１３１で示される音と破線１３２で示される音とが混ざり合わないように設けられている。これにより、実線１３１で示される音と破線１３２で示される音とが打ち消し合って、音圧が低下してしまうことが防止される。
【００５５】
スピーカシステム１００のユーザは、実線１３１で示される音の流れ、または、破線１３２で示される音の流れのいずれかを聴くことができる。
【００５６】
なお、本明細書では、「音の伝達方向」とは、音の基本的な伝達方向をいい、すべての音がこの方向にのみ伝達されることを意味するものではないことに留意されたい。なぜなら、音は、回折または反射しながら伝達される性質を有しているからである。従って、実線１３１または破線１３２で示される音の流れは、便宜上、音の道筋を概念的に示すものである。
【００５７】
図５は、本発明によるスピーカシステム１００と１つのスピーカとのＪＩＳ箱における音響特性を示すグラフである。図５に示されるグラフの横軸は周波数を示し、縦軸は音圧を示す。
【００５８】
図５の実線（Ａ）はスピーカシステム１００の音圧周波数特性を示し、図５の破線（Ｂ）は１つのスピーカ（例えば、第１のスピーカ１０１）の音圧周波数特性を示す。この音響特性の測定において、それぞれのスピーカに印加されている電圧は３．３Ｖである。
【００５９】
図５の実線（Ａ）と破線（Ｂ）との比較から理解されるように、スピーカシステム１００からの音圧は、１つのスピーカからの音圧と比べて、ほぼ全帯域にわたって高い。スピーカシステム１００は、特に低い周波数帯域において高い音圧を出力する。
【００６０】
なお、音道を通った音のその後の流れは、実施の形態に応じて自由に設定することができる。図１〜図４を参照して説明したスピーカシステム１００では、２つの音道１１１、１１２から、３つのスピーカ１０１、１０３、１０５の振幅方向と平行な方向に、音が伝達される態様を示したが、本発明はこれに限定されない。本発明によるスピーカシステムは、音道から、任意の方向、例えば、スピーカの振幅方向と垂直な方向に音が伝達されてもよい。
【００６１】
図６は、スピーカの振幅方向と垂直な方向に音が伝達されるスピーカシステム６００の断面図を示す。
【００６２】
スピーカシステム６００は、３つのスピーカ（第１のスピーカ６０１、第２のスピーカ６０３、第３のスピーカ６０５）と、２つのスペーサー（第１のスペーサー６０２、第２のスペーサー６０４）とを含む。第１のスペーサー６０２は、第１のスピーカ６０１と第２のスピーカ６０３とが向かい合うように第１のスピーカ６０１と第２のスピーカ６０３とを隔てる。第２のスペーサー６０４は、第２のスピーカ６０３と第３のスピーカ６０５とが向かい合うように第２のスピーカ６０３と第３のスピーカ６０５とを隔てる。
【００６３】
第１のスピーカ６０１と、第２のスピーカ６０３と、第３のスピーカ６０５とは、振幅することにより音を発生する。図６において「振幅方向」と表示される矢印は、第１のスピーカ６０１、第２のスピーカ６０３および第３のスピーカ６０５の振幅方向を示す。第１のスピーカ６０１と、第２のスピーカ６０３と、第３のスピーカ６０５とはその振幅方向に沿って配置されている。
【００６４】
スピーカシステム１００と同様に、スピーカシステム６００においても、第１のスピーカ６０１と第２のスピーカ６０３と第１のスペーサー６０２とによって、第１のスピーカ６０１と第２のスピーカ６０３との向かい合う面から出力される音が通る第１の音道６１１が形成されている。
【００６５】
第２のスピーカ６０３と第３のスピーカ６０５と第２のスペーサー６０４とによって、第２のスピーカ６０３と第３のスピーカ６０５との向かい合う面から出力される音が通る第２の音道６１２が形成されている。
【００６６】
第１の音道６１１を通る音の伝達方向と、第１のスピーカ６０１および第２のスピーカ６０３の振幅方向とが垂直となるように、第１の音道６１１が形成されている。
【００６７】
第２の音道６１２を通る音の伝達方向と、第２のスピーカ６０３および第２のスピーカ６０５の振幅方向とが垂直となるように、第２の音道６１２が形成されている。
【００６８】
なお、第１のスピーカ６０１と第２のスピーカ６０３との向かい合う面から出力される音は、第１のスピーカ６０１と第２のスピーカ６０３と第１のスペーサー６０２とによって規定される空間である第１の音道６１１を通って、第１のスペーサー６０２の環状の欠けた部分から、スピーカシステム６００の外部に伝達される。
【００６９】
第２のスピーカ６０３と第３のスピーカ６０５との向かい合う面から出力される音は、第２のスピーカ６０３と第３のスピーカ６０５と第２のスペーサー６０４とによって規定される空間である第２の音道６１２を通って、第２のスペーサー６０４の環状の欠けた部分から、スピーカシステム６００の外部に伝達される。
【００７０】
スピーカシステム６００は、また、２つのバッフル板（第１のバッフル板６２１および第２のバッフル板６２２）を含む。
【００７１】
第１のスピーカ６０１の左面から出力される音は、第１のバッフル板６２１により、第１のスピーカ６０１の振幅方向に垂直な方向に向けられる。第２のスピーカ６０３の右面から出力される音と第３のスピーカ６０５の左面から出力される音とは、第２の音道６１２を通って伝達される。第２の音道６１２を通って伝達される音は、第２のバッフル板６２２により、第２のスピーカ６０３および第３のスピーカ６０５の振幅方向に垂直な方向（すなわち、第１のスピーカ６０１の左面から出力される音の伝達方向と同一の方向）に向けられる。第１のスピーカ６０１の左面から出力される音は、第２の音道６１２を通って伝達される音と同じ位相を有する。
【００７２】
したがって、第１のスピーカ６０１の左面から出力される音と、第２の音道６１２を通って伝達される音とを合成することにより、音圧が上がる。図６において、これらの音の流れを実線６３１として示す。
【００７３】
第３のスピーカ６０５の右面から出力される音は、第２のバッフル板６２２により、第３のスピーカ６０５の振幅方向に垂直な方向に伝達される。第１のスピーカ６０１の右面から出力される音と第２のスピーカ６０３の左面から出力される音とは、第１の音道６１１を通って伝達される。第１の音道６１１を通って伝達される音は、第１のスピーカ６０１および第２のスピーカ６０３の振幅方向と垂直な方向（すなわち、第３のスピーカ６０５の右面から出力される音の伝達方向と同一の方向）に向けられる。第３のスピーカ６０５の右面から出力される音の位相と、第１の音道６１１を通って伝達される音の位相は同一である。
【００７４】
したがって、第３のスピーカ６０５の右面から出力される音と、第１の音道６１１を通って伝達される音とを合成することにより、音圧が上がる。図６において、これらの音の流れを破線６３２として示す。
【００７５】
第１のバッフル板６２１および第２のバッフル板６２２は、実線６３１で示される音と破線６３２で示される音とが混ざり合わないように設けられている。これにより、実線６３１で示される音と破線６３２で示される音とが打ち消し合って、音圧が低下してしまうことが防止される。
【００７６】
このように、スピーカシステムから出力される音は、スピーカの振幅方向に垂直な方向であってもよい。この場合、スピーカシステムの振幅方向に平行な方向以外の方向に音を出力することができるので、スピーカシステムの設置における自由度があがる。
【００７７】
なお、本発明のスピーカシステムに含まれるスピーカの数は３に限定をされず、本発明のスピーカシステムに含まれるスペーサーの数は２に限定されない。本発明によるスピーカシステムは、ｎ個（ｎは２以上の整数）のスピーカとｎ−１個のスペーサーとを含んでもよい。
【００７８】
この場合、偶数枚目のスピーカと奇数枚目のスピーカとの向い合う面が同じ位相の音を出力するように、偶数枚目のスピーカと奇数枚目のスピーカを配置する。このように偶数枚目のスピーカと奇数枚目のスピーカを配置することにより、同じ位相の音が合成され、音圧が上がる。スピーカの数が増加するにつれて、同じ位相の音がさらに合成されるため、音圧がさらに上がる（図１３参照）。
【００７９】
偶数枚目のスピーカと奇数枚目のスピーカとの向い合う面が同じ位相の音を出力するためには、以下の態様が考えられる。
【００８０】
第１の態様は、同一の構造を有する偶数枚目のスピーカと奇数枚目のスピーカとを用い、偶数枚目のスピーカの表面と奇数枚目のスピーカの表面とが向かい合うように、または、偶数枚目のスピーカの裏面と奇数枚目のスピーカの裏面とが向かい合うように偶数枚目のスピーカと奇数枚目のスピーカと配置し、かつ、偶数枚目のスピーカと奇数枚目のスピーカとを同位相で振幅させる態様である。
【００８１】
上述したように偶数枚目のスピーカと奇数枚目のスピーカとを配置するためには、例えば、物理的に同一の構造を有する第１のスピーカ１０１（奇数枚目のスピーカ）と第２のスピーカ１０３（偶数枚目のスピーカ）と第３のスピーカ１０５（奇数枚目のスピーカ）とを用い、第１のスピーカ１０１の表面と第２のスピーカ１０３の表面とが向かい合い、かつ、第２のスピーカ１０３の裏面と第３のスピーカ１０５の裏面とが向かい合うように、第１のスピーカ１０１と第２のスピーカ１０３と第３のスピーカ１０５とを配置すればよい。
【００８２】
偶数枚目のスピーカと奇数枚目のスピーカとを同位相で振幅させるためには、例えば、偶数枚目のスピーカと奇数枚目のスピーカとに同じ位相の電気信号を入力すればよい。
【００８３】
第２の態様は、同一の構造を有する偶数枚目のスピーカと奇数枚目のスピーカとを用い、偶数枚目のスピーカの表面と奇数枚目のスピーカの裏面とが向かい合うように、または、偶数枚目のスピーカの裏面と奇数枚目のスピーカの表面とが向かい合うように偶数枚目のスピーカと奇数枚目のスピーカとを配置し、かつ、偶数枚目のスピーカと奇数枚目のスピーカとを逆位相で振幅させる態様である。
【００８４】
上述したように偶数枚目のスピーカと奇数枚目のスピーカとを配置するためには、例えば、物理的に同一の構造を有する第１のスピーカ１０１（奇数枚目のスピーカ）と第２のスピーカ１０３（偶数枚目のスピーカ）と第３のスピーカ１０５（奇数枚目のスピーカ）とを用い、第１のスピーカ１０１の表面と第２のスピーカ１０３の裏面とが向かい合い、かつ、第２のスピーカ１０３の表面と第３のスピーカ１０５の裏面とが向かい合うように、第１のスピーカ１０１と第２のスピーカ１０３と第３のスピーカ１０５とを配置すればよい。
【００８５】
偶数枚目のスピーカと奇数枚目のスピーカとを逆位相で振幅させるためには、例えば、偶数枚目のスピーカと奇数枚目のスピーカとに互いに逆の位相の電気信号を入力すればよい。
【００８６】
あるいは、偶数枚目のスピーカと奇数枚目のスピーカとのそれぞれが、圧電素子を有する圧電スピーカであり、偶数枚目のスピーカの圧電素子の分極方向が奇数枚目のスピーカの圧電素子の分極方向と逆向きであるように偶数枚目のスピーカと奇数枚目のスピーカとを配置し、偶数枚目のスピーカと奇数枚目のスピーカとに同じ位相の電気信号を入力してもよい。
【００８７】
なお、スペーサーの形状は、図１〜図４を参照して説明した第１のスペーサー１０２および第２のスペーサー１０４に限定されない。本発明のスペーサーは、偶数枚目のスピーカとそれに隣接する奇数枚目のスピーカとが向かい合うように隔て、かつ、それぞれのスピーカが出力する逆位相の音が互いに合成されることを防ぐような構成であればよい。
【００８８】
なお、第１のスペーサー１０２または第２のスペーサー１０４の厚さ、もしくは、第１の音道１１１または第２の音道１１２の幅を調整することで、第１の音道１１１および第２の音道１１２のそれぞれから出力される音響特性を変化させることが可能である。
【００８９】
さらに、図１〜図４を参照して説明した第１のスペーサー１０２および第２のスペーサー１０４は同じ形状を有したが、本発明はこれに限定されない。本発明によるスピーカシステムのスペーサーは、一つのスピーカシステムに使用される複数のスペーサーがそれぞれ異なる形状でもよい。
【００９０】
また、本発明によるスピーカシステムを作製する際に、上述した薄型形状のスピーカとは異なった形状を有するスピーカを用いる場合、そのスピーカに応じたスペーサーを用いるのが好ましい。
【００９１】
なお、上記説明においては、「コ」または「Ｕ」の字型のスペーサーを用いたが、振動板が丸形など他の形状であれば、その形状に適したスペーサーを用いればよい。
【００９２】
上述したように、偶数枚目のスピーカと奇数枚目のスピーカとが向かい合う面が同じ位相の音を出力するように偶数枚目のスピーカと奇数枚目のスピーカを配置し、偶数枚目のスピーカとそれに隣接する奇数枚目のスピーカとが向かい合うように偶数枚目のスピーカとそれに隣接する奇数枚目のスピーカとを隔てるスペーサーを用い、偶数枚目のスピーカと、それに隣接する奇数枚目のスピーカと、偶数枚目のスピーカとそれに隣接する奇数枚目のスピーカとを隔てるスペーサーによって、偶数枚目のスピーカとそれに隣接する奇数枚目のスピーカとの向かい合う面から出力される音が通る音道を形成することによって、１個のスピーカと同じ表面積を有しながら、逆位相の音により音が打ち消されることなく、大きな音圧を得ることができる。
【００９３】
２．圧電スピーカとは別のスピーカによるスピーカシステム
図１〜図６を参照して、スピーカシステムにおけるスピーカの具体例として、スピーカが圧電スピーカである場合を説明した。しかし、上述したように、スピーカは、圧電スピーカに限定されない。ここでは、スピーカの別の具体例として、動電形スピーカを使用したスピーカシステムを説明する。
【００９４】
図７は、動電形スピーカを有するスピーカシステム７００の断面図を示す。
【００９５】
スピーカシステム７００は、３つのスピーカ（第１のスピーカ７０１、第２のスピーカ７０３、第３のスピーカ７０５）と、２つのスペーサー（第１のスペーサー７０２、第２のスペーサー７０４）とを含む。第１のスペーサー７０２は、第１のスピーカ７０１と第２のスピーカ７０３とが向かい合うように第１のスピーカ７０１と第２のスピーカ７０３とを隔てる。第２のスペーサー７０４は、第２のスピーカ７０３と第３のスピーカ７０５とが向かい合うように第２のスピーカ７０３と第３のスピーカ７０５とを隔てる。
【００９６】
第１のスピーカ７０１と、第２のスピーカ７０３と、第３のスピーカ７０５とは、振幅することにより音を発生する。図７において「振幅方向」と表示される矢印は、第１のスピーカ７０１、第２のスピーカ７０３および第３のスピーカ７０５の振幅方向を示す。第１のスピーカ７０１と、第２のスピーカ７０３と、第３のスピーカ７０５とはその振幅方向に沿って配置されている。
【００９７】
スピーカシステム１００と同様に、スピーカシステム７００においても、第１のスピーカ７０１と第２のスピーカ７０３と第１のスペーサー７０２とによって、第１のスピーカ７０１と第２のスピーカ７０３との向かい合う面から出力される音が通る第１の音道７１１が形成されている。
【００９８】
第２のスピーカ７０３と第３のスピーカ７０５と第２のスペーサー７０４とによって、第２のスピーカ７０３と第３のスピーカ７０５との向かい合う面から出力される音が通る第２の音道７１２が形成されている。
【００９９】
第１の音道７１１を通る音の伝達方向と、第１のスピーカ７０１および第２のスピーカ７０３の振幅方向とが垂直となるように、第１の音道７１１が形成されている。
【０１００】
第２の音道７１２を通る音の伝達方向と、第２のスピーカ７０３および第２のスピーカ７０５の振幅方向とが垂直となるように、第２の音道７１２が形成されている。
【０１０１】
第１のスピーカ７０１と第２のスピーカ７０３との向かい合う面から出力される音は、第１のスピーカ７０１と第２のスピーカ７０３と第１のスペーサー７０２とによって規定される空間である第１の音道７１１を通って、第１のスペーサー７０２の環状の欠けた部分から、スピーカシステム７００の外部に伝達される。
【０１０２】
第２のスピーカ７０３と第３のスピーカ７０５との向かい合う面から出力される音は、第２のスピーカ７０３と第３のスピーカ７０５と第２のスペーサー７０４とによって規定される空間である第２の音道７１２を通って、第２のスペーサー７０４の環状の欠けた部分から、スピーカシステム７００の外部に伝達される。
【０１０３】
第１のスピーカ７０１の左面から出力される音は、第１のスピーカ７０１の振幅方向に平行な方向に伝達される。第２のスピーカ７０３の右面から出力される音と第３のスピーカ７０５の左面から出力される音とは、第２の音道７１２を通って伝達される。第２の音道７１２を通って伝達される音は、第２のバッフル板７２２により、第２のスピーカ７０３および第３のスピーカ７０５の振幅方向と平行な方向（すなわち、第１のスピーカ７０１の左面から出力される音の伝達方向と同一の方向）に向けられる。また、第１のスピーカ７０１の左面から出力される音の位相と第２の音道７１２を通って伝達される音の位相は同一である。
【０１０４】
したがって、第１のスピーカ７０１の左面から出力される音と、第２の音道７１２を通って伝達される音とを合成することにより、音圧が上がる。図７において、これらの音の流れを実線７３１として示す。
【０１０５】
第３のスピーカ７０５の右面から出力される音は、第３のスピーカ７０５の振幅方向に平行な方向に伝達される。第１のスピーカ７０１の右面から出力される音と第２のスピーカ７０３の左面から出力される音とは、第１の音道７１１を通って伝達される。第１の音道７１１を通って伝達される音は、第１のバッフル板７２１により、第１のスピーカ７０１および第２のスピーカ７０３の振幅方向と平行な方向（すなわち、第３のスピーカ７０５の右面から出力される音の伝達方向と同一の方向）に向けられる。また、第３のスピーカ７０５の右面から出力される音の位相と、第１の音道７１１を通って伝達される音の位相は同一である。
【０１０６】
したがって、第３のスピーカ７０５の右面から出力される音と、第１の音道７１１を通って伝達される音とを合成することにより、音圧が上がる。図７において、これらの音の流れを破線７３２として示す。
【０１０７】
第１のバッフル板７２１および第２のバッフル板７２２は、実線７３１で示される音と破線７３２で示される音とが混ざり合わないように設けられている。これにより、実線７３１で示される音と破線７３２で示される音とが打ち消し合って、音圧が低下してしまうことが防止される。
【０１０８】
図８は、動電形スピーカを用いたスピーカシステム７００および１つの動電形スピーカのＪＩＳ箱における音響特性を示すグラフである。図８に示されるグラフの横軸は周波数を示し、縦軸は音圧を示す。
【０１０９】
図８の（Ａ）はスピーカシステム７００の音圧周波数特性を示し、図８の（Ｂ）は、１つのスピーカの音圧周波数特性を示す。この音響特性の測定において、それぞれの動電形スピーカに印加されている電圧は０．８９Ｖである。また、インピーダンスは８Ωである。
【０１１０】
図８の実線（Ａ）と破線（Ｂ）との比較から理解されるように、圧電スピーカの場合と同じ様に、動電形スピーカの場合でも、スピーカシステム７００からの音圧は、１つの動電形スピーカからの音圧と比べて、ほぼ全帯域に渡って高い。
【０１１１】
３．２つのスピーカを有するスピーカシステム
図１〜図８を参照して、３個のスピーカと、２個のスペーサーとを含むスピーカシステムを説明した。しかし、本発明によるスピーカシステムは、これに限定されるものではない。本発明によるスピーカシステムは、２個のスピーカと１個のスペーサーとを含んでもよい。
【０１１２】
図９は、２つのスピーカと１個のスペーサーとを含む、本発明によるスピーカシステム９００の断面図を示す。
【０１１３】
スピーカシステム９００は、第１のスピーカ９０１と、第２のスピーカ９０３と、第１のスピーカ９０１と第２のスピーカ９０３とが向かい合うように第１のスピーカ９０１と第２のスピーカ９０３とを隔てる第１のスペーサー９０２とを含む。
【０１１４】
第１のスピーカ９０１と、第２のスピーカ９０３とは、振幅することにより音を発生する。図９において「振幅方向」と表示される矢印は、第１のスピーカ９０１および第２のスピーカ９０３の振幅方向を示す。第１のスピーカ９０１と、第２のスピーカ９０３とはその振幅方向に沿って配置されている。
【０１１５】
スピーカシステム１００と同様に、スピーカシステム９００においても、第１のスピーカ９０１と第２のスピーカ９０３と第１のスペーサー９０２とによって、第１のスピーカ９０１と第２のスピーカ９０３との向かい合う面から出力される音の第１の音道９１１が形成されている。
【０１１６】
第１の音道９１１を通る音の伝達方向と、第１のスピーカ９０１および第２のスピーカ９０３の振幅方向とが垂直となるように、第１の音道９１１が形成されている。
【０１１７】
なお、第１のスピーカ９０１と第２のスピーカ９０３との向かい合う面から出力される音は、第１のスピーカ９０１と第２のスピーカ９０３と第１のスペーサー９０２とによって規定される空間である第１の音道９１１を通って、第１のスペーサー９０２の環状の欠けた部分から、スピーカシステム９００の外部に伝達される。
【０１１８】
スピーカシステム９００は、また、２つのバッフル板（第１のバッフル板９２１および第２のバッフル板９２２）を含む。
【０１１９】
第１のスピーカ９０１の左面から出力される音は、第１のスピーカ９０１の振幅方向に平行な方向に伝達される。第２のスピーカ９０３の右面から出力される音は、第２のバッフル板９２２により、第２のスピーカ９０３の振幅方向と平行な方向（すなわち、第１のスピーカ９０１の左面から出力される音の伝達方向と同一の方向）に向けられる。また、第１のスピーカ９０１の左面から出力される音の位相と第２のスピーカ９０３の右面から出力される音の位相は同一である。
【０１２０】
したがって、第１のスピーカ９０１の左面から出力される音と、第２のスピーカ９０３の右面から出力される音とを合成することにより、音圧が上がる。図９において、これらの音の流れを実線９３１として示す。
【０１２１】
第１のスピーカ９０１の右面から出力される音と第２のスピーカ９０３の左面から出力される音とは、第１の音道９１１を通って伝達される。第１の音道９１１を通って伝達される音は、第１のバッフル板９２１により、第１のスピーカ９０１および第２のスピーカ９０３の振幅方向と平行な方向に向けられる。図９において、これらの音の流れを破線９３２として示す。
【０１２２】
第１のバッフル板９２１および第２のバッフル板９２２は、実線９３１で示される音と破線９３２で示される音とが混ざり合わないように設けられている。これにより、実線９３１で示される音と破線９３２で示される音とが打ち消し合って、音圧が低下してしまうことが防止される。
【０１２３】
このように、２つのスピーカ９０１、９０３と１つのスペーサー９０２とを含むスピーカシステム９００においても、本発明を適用することができる。
【０１２４】
３つのスピーカを有するスピーカシステムにおいて、スピーカの振幅方向に対して実質的に垂直な方向に音が伝達されるスピーカシステム６００があるように、２つのスピーカを有するスピーカシステムにおいても、スピーカの振幅方向に対して実質的に垂直な方向に音が出力されるスピーカシステムが考えられる。
【０１２５】
図１０は、２つのスピーカを有し、スピーカの振幅方向に垂直な方向から音が出力されるスピーカシステム１０００の断面図を示す。
【０１２６】
スピーカシステム１０００は、第１のスピーカ１００１と、第２のスピーカ１００３と、第１のスピーカ１００１と第２のスピーカ１００３とが向かい合うように第１のスピーカ１００１と第２のスピーカ１００３とを隔てる第１のスペーサー１００２とを含む。
【０１２７】
第１のスピーカ１００１と、第２のスピーカ１００３とは、振幅することにより音を発生する。図１０において「振幅方向」と表示される矢印は、第１のスピーカ１００１および第２のスピーカ１００３の振幅方向を示す。第１のスピーカ１００１と、第２のスピーカ１００３とはその振幅方向に沿って配置されている。
【０１２８】
スピーカシステム１００と同様に、スピーカシステム１０００においても、第１のスピーカ１００１と第２のスピーカ１００３と第１のスペーサー１００２とによって、第１のスピーカ１００１と第２のスピーカ１００３との向かい合う面から出力される音の第１の音道１０１１が形成されている。
【０１２９】
第１の音道１０１１を通る音の伝達方向と、第１のスピーカ１００１および第２のスピーカ１００３の振幅方向とが垂直となるように、第１の音道１０１１が形成されている。
【０１３０】
なお、第１のスピーカ１００１と第２のスピーカ１００３との向かい合う面から出力される音は、第１のスピーカ１００１と第２のスピーカ１００３と第１のスペーサー１００２とによって規定される空間である第１の音道１０１１を通って、第１のスペーサー１００２の環状の欠けた部分から、スピーカシステム１０００の外部に伝達される。
【０１３１】
スピーカシステム１０００は、また、２つのバッフル板（第１のバッフル板１０２１および第２のバッフル板１０２２）を含む。第１のスピーカ１００１の左面から出力される音は、第１のバッフル板１０２１により、第１のスピーカ１００１の振幅方向に垂直な方向に向けられる。第２のスピーカ１００３の右面から出力される音は、第２のバッフル板１０２２により、第２のスピーカ１００３の振幅方向に垂直な方向（すなわち、第１のスピーカ１００１の左面から出力される音の伝達方向と同じ方向）に向けられる。また、第１のスピーカ１００１の左面から出力される音は、第２のスピーカ１００３の右面から出力される音と同じ位相を有する。
【０１３２】
したがって、第１のスピーカ１００１の左面から出力される音と、第２のスピーカ１００３の右面から出力される音とを合成することにより、音圧が上がる。図１０において、これらの音の流れを実線１０３１として示す。
【０１３３】
第１のスピーカ１００１の右面から出力される音と第２のスピーカ１００３の左面から出力される音とは、第１の音道１０１１を通って伝達される。第１の音道１０１１を通って伝達される音は、第１のスピーカ１００１および第２のスピーカ１００３の振幅方向と垂直な方向に向けられる。図１０において、これらの音の流れを破線１０３２として示す。
【０１３４】
第１のバッフル板１０２１および第２のバッフル板１０２２は、実線１０３１で示される音と破線１０３２で示される音とが混ざり合わないように設けられている。これにより、実線１０３１で示される音と破線１０３２で示される音とが打ち消し合って、音圧が低下してしまうことが防止される。
【０１３５】
このように、２つのスピーカを有するスピーカシステム１０００から出力される音は、スピーカの振幅方向に垂直な方向であってもよい。
【０１３６】
上述したように、２つのスピーカが向かい合うようにスペーサーを配置し、２つのスピーカとスペーサーとによって、２つのスピーカの向かい合う面から出力される音の音道を形成することによって、１個のスピーカと同じ表面積を有しながら、逆位相の音により音が打ち消されることなく、大きな音圧を得ることができる。
【０１３７】
４．圧電スピーカの構造
ここで、本発明のスピーカシステムに使用可能な圧電スピーカについて説明する。
【０１３８】
図１１は、圧電スピーカ１１００の構造を示す上面図である。
【０１３９】
圧電スピーカ１１００は、アウタフレーム１１１０と、インナフレーム１１２０と、振動板１１３１〜１１３４と、振動板１１３１〜１１３４に振幅を伝達する圧電素子１１４０とを含む。
【０１４０】
振動板１１３１は、ダンパ１１５１、１１５２を介してインナフレーム１１２０に接続されている。振動板１１３２は、ダンパ１１５３、１１５４を介してインナフレーム１１２０に接続されている。振動板１１３３は、ダンパ１１５５、１１５６を介してインナフレーム１１２０に接続されている。振動板１１３４は、ダンパ１１５７、１１５８を介してインナフレーム１１２０に接続されている。
【０１４１】
インナフレーム１１２０は、ダンパ１１６１〜１１６４を介してアウタフレーム１１１０に接続されている。アウタフレーム１１１０は、圧電スピーカ１１００の固定部材（図示せず）に固定されている。
【０１４２】
ダンパ１１５１〜１１５８およびダンパ１１６１〜１１６４は、それらの形状から「蝶ダンパ」と呼ばれる。
【０１４３】
ダンパ１１５１、１１５２は、振動板１１３１がリニアに振幅可能となるように振動板１１３１を支持する。ここで、本明細書では、「振動板１１３１がリニアに振幅可能」とは、「振動板１１３１の面と基準面とが実質的に平行な状態を保ちつつ、かつ、振動板１１３１がその基準面に対して実質的に垂直な方向に振幅する」ことをいうと定義する。同一の定義が振動板１１３２〜１１３４についてもあてはまる。例えば、アウタフレーム１１１０が図１１の紙面と同一の面（基準面）に固定されていると仮定する。この場合、振動板１１３１は、振動板１１３１の面と図１１の紙面とが実質的に平行な状態を保ちつつ、かつ、振動板１１３１が図１１の紙面に対して実質的に垂直な方向に振幅するように支持される。
【０１４４】
同様に、ダンパ１１５３、１１５４は、振動板１１３２がリニアに振幅可能となるように振動板１１３２を支持し、ダンパ１１５５、１１５６は、振動板１１３３がリニアに振幅可能となるように振動板１１３３を支持し、ダンパ１１５７、１１５８は、振動板１１３４がリニアに振幅可能となるように振動板１１３４を支持する。
【０１４５】
ダンパ１１６１〜１１６４は、振動板１１３１〜１１３４が同時にリニアに振幅可能となるように振動板１１３１〜１１３４を支持する。
【０１４６】
ダンパ（１１５１〜１１５８、１１６１〜１１６４）が金属で形成されている場合には、これらのダンパを電極配線として利用することが出来る。圧電素子１１４０が振動板（１１３１〜１１３４）に電気的に接続され、その振動板（１１３１〜１１３４）がダンパ（１１５１〜１１５８）を介してインナフレーム１１２０に電気的に接続され、そのインナフレーム１１２０がダンパ（１１６１〜１１６４）を介してアウタフレーム１１１０に電気的に接続される。このようにして、アウタフレーム１１１０から圧電素子１１４０に信号を入力することが可能になる。
【０１４７】
圧電スピーカ１１００は、振動板１１３１〜１１３４とインナフレーム１１２０との空隙から空気が漏れることを防止するように形成されたエッジ１１７１と、インナフレーム１１２０とアウタフレーム１１１０との空隙から空気が漏れることを防止するように形成されたエッジ１１７２とをさらに有している。振動板１１３１〜１１３４とインナフレーム１１２０との空隙やインナフレーム１１２０とアウタフレーム１１１０との空隙から空気が漏れてしまうと、振動板１１３１〜１１３４の前後に生じた逆位相の音が相互に干渉することにより、音圧が低下する。エッジ１１７１、１１７２は、このような空気漏れを防止することにより、特性劣化が顕著な低周波数帯域における音圧の低下を防止するように形成されている。その結果、圧電スピーカ１１００によれば、従来の圧電スピーカに比較して、より低い周波数帯域の音を再生することが可能になる。
【０１４８】
さらに、エッジ１１７１、１１７２は、振動板１１３１〜１１３４を支持する支持部材の一部として機能する。エッジ１１７１、１１７２によって振動板１１３１〜１１３４の周囲を支持することにより、振動板１１３１〜１１３４の振幅運動が容易になる。もし、エッジ１１７１、１１７２が振動板１１３１〜１１３４の支持部材として機能せず、ダンパ１１５１〜１１５８、１１６１〜１１６４のみが振動板１１３１〜１１３４の支持部材として機能する場合には、振動板１１３１〜１１３４は、特定の周波数帯域において所望されない方向に暴れやすくなる。その結果、不要共振が生じやすくなる。
【０１４９】
本実施の形態では、上記のスピーカを用いているが、従来の単板の金属振動板に、圧電素子を貼付した簡単な構造の圧電素子を用いても、音圧を高めるという効果は変わらない。
【０１５０】
なお、圧電スピーカ１１００では、矩形の振動板を用いているが、本発明はこれに限定されない。振動板の形状は、丸形であってもよい。
【０１５１】
このような圧電スピーカ１１００は、振動板がリニアに振幅可能となるように振動板が支持されており、振動板とフレームとの間の空隙から空気が漏れることを防止し、振動板の振幅をより平坦に保つための支持部材としてエッジが形成されている。これにより、従来の圧電スピーカに比較して、より低い周波数帯域の音を再生することが可能になる。
【０１５２】
【発明の効果】
本発明のスピーカシステムによれば、第１のスピーカと第２のスピーカとの向かい合う面が同じ位相の音を出力するように第１のスピーカと第２のスピーカとが配置され、第１のスピーカと第２のスピーカと第１のスペーサーとによって、第１のスピーカと第２のスピーカとの向かい合う面から出力される音の音道が形成され、、第１の音道は第１のスペーサーの開口側部に沿った方向であり、第１のスピーカと第２のスピーカの各々は、フレームと、振動板と、振動板の上に配置された圧電素子と、フレームと振動板とに接続され、振動板がリニアに振幅するように振動板を支持するダンパと、振動板とフレームとの間の空隙を埋めるように形成されたエッジとを備え、ダンパが電極を兼ねる。これにより、複数のスピーカを用いて音圧を高くしつつ、スピーカを単体で用いた場合の表面積と同一の表面積を維持することが可能なスピーカシステムを提供することができる。
【０１５３】
また、本発明のスピーカシステムは、２つのスピーカと１つのスペーサーとを含むものに限定されない。本発明のスピーカシステムは、ｎ個のスピーカとｎー１個のスペーサーとを含んでもよい（ｎは２以上の整数）。このようなスピーカシステムによれば、ｎ個のスピーカのうち、偶数枚目のスピーカと奇数枚目のスピーカとが向かい合う面が同じ位相の音を出力するように偶数枚目のスピーカと奇数枚目のスピーカとが配置され、偶数枚目のスピーカとそれに隣接する奇数枚目のスピーカとが向かい合うように偶数枚目のスピーカとそれに隣接する奇数枚目のスピーカとを隔てるスペーサーが設けられ、偶数枚目のスピーカと、それに隣接する奇数枚目のスピーカと、偶数枚目のスピーカとそれに隣接する奇数枚目のスピーカとを隔てるスペーサーとによって、偶数枚目のスピーカとそれに隣接する奇数枚目のスピーカとの向かい合う面から出力される音が通る音道が形成されている。これにより、複数のスピーカを用いて音圧を高くしつつ、スピーカを単体で用いた場合の表面積と同一の表面積を維持することが可能なスピーカシステムを提供することができる。
【図面の簡単な説明】
【図１】本発明のスピーカシステム１００の構成要素を説明するための図
【図２】本発明のスピーカシステム１００を作成する途中の図
【図３】本発明のスピーカシステム１００を作成する途中の図
【図４】本発明のスピーカシステム１００の断面図
【図５】本発明によるスピーカシステム１００と１つのスピーカとのＪＩＳ箱における音響特性のグラフを示す図
【図６】スピーカの振幅方向と垂直な方向に音が伝達されるスピーカシステム６００の断面図
【図７】動電形スピーカを有するスピーカシステム７００の断面図
【図８】動電形スピーカを用いたスピーカシステム７００および１つの動電形スピーカのＪＩＳ箱における音響特性のグラフを示す図
【図９】２つのスピーカと１個のスペーサーとを含む、本発明によるスピーカシステム９００の断面図
【図１０】２つのスピーカを有し、スピーカの振幅方向と垂直な方向に音が伝達されるスピーカシステム１０００の断面図
【図１１】圧電スピーカ１１００の構造を示す上面図
【図１２】４枚のスピーカを配置した従来のスピーカシステム１２００の上面図
【図１３】スピーカの数と、スピーカから出された音圧の合成をした音圧の増加分との関係のグラフを示す図
【符号の説明】
１００  スピーカシステム
１０１  第１のスピーカ
１０２  第１のスペーサー
１０３  第２のスピーカ
１０４  第２のスペーサー
１０５  第３のスピーカ
【図１】
0003788600.tif 000004
【図２】
0003788600.tif 000005
【図３】
0003788600.tif 000006
【図４】
0003788600.tif 000007
【図５】
0003788600.tif 000008
【図６】
0003788600.tif 000009
【図７】
0003788600.tif 000010
【図８】
0003788600.tif 000011
【図９】
0003788600.tif 000012
【図１０】
0003788600.tif 000013
【図１１】
0003788600.tif 000014
【図１２】
0003788600.tif 000015
【図１３】
0003788600.tif 000016